(57)【要約】  本発明は、少なくとも積み重ね状態と把持状態とに位置することが可能な把持部材（３）を備える蓋に関するものである。積み重ね状態は、把持部材（３）が、蓋と、類似する他の蓋との積み重ねを妨げない状態であり、把持状態は、把持部材（３）が、蓋を把持するための解放面を有する状態である。本発明は、蓋が、積み重ね状態から把持状態へ、把持部材（３）を移行させるための弾性手段（１４）を少なくとも１つ含むことを特徴とする。
2008532669.tif 000002
【特許請求の範囲】
【請求項１】
調理器具のための蓋（１）であって、
少なくとも積み重ね状態と把持状態とになることが可能な把持装置（３）を含み、
前記積み重ね状態では、前記把持装置（３）が、前記蓋と類似する他の蓋との積み重ねを妨げず、
前記把持状態では、前記把持装置（３）が、前記蓋（１）から離れた把持表面（４）をもたらし、
前記蓋（１）は、前記積み重ね状態から前記把持状態へ、前記把持装置（３）を移行させるための弾性部材（１４）を含むことを特徴とする蓋（１）。
【請求項２】
前記把持装置（３）は、ベース部（５）と、少なくとも１つのフラップ（６）と、を含み、
前記ベース部（５）は、前記蓋（１）のカバー（２）に固定され、
前記フラップ（６）は、前記把持装置（３）の前記把持表面（４）を有するとともに、
前記ベース部（５）に対して、前記把持表面（４）が前記カバー（２）と接触しない把持位置と積み重ね位置との間を移動可能であり、
これらの位置は、それぞれ、前記把持装置（３）の前記積み重ね状態と前記把持状態とに対応していることを特徴とする請求項１に記載の蓋（１）。
【請求項３】
前記フラップ（６）は、各々、回転軸（７）を軸として前記ベース部（５）に対して回転するように搭載されており、
前記回転軸（７）は、前記ベース部（５）の位置において、前記カバー（２）と接する平面（８）に対して平行であることを特徴とする請求項２に記載の蓋（１）。
【請求項４】
前記各フラップ（６）の前記把持表面（４）は、前記フラップ（６）が前記積み重ね位置にあるときに、前記カバー（２）に対して伏せられていることを特徴とする請求項３に記載の蓋（１）。
【請求項５】
前記各フラップ（６）は、前記把持位置において、前記接平面（８）に対して３０°〜６０°、好ましくは４５°の角度をなす平面内に位置することを特徴とする請求項３又は４に記載の蓋（１）。
【請求項６】
前記各フラップ（６）は、前記接平面（８）にほぼ垂直な持ち運び位置まで上昇することを特徴とする請求項５に記載の蓋（１）。
【請求項７】
前記把持装置（３）は、２つの前記フラップ（６）を含み、
前記フラップ（６）の２つの前記回転軸（７）は互いに平行であることを特徴とする請求項３〜６の何れか１項に記載の蓋（１）。
【請求項８】
２つの前記フラップ（６）は、前記持ち運び位置において、それらの接触表面（１８）によって互いに押し付けられ、
前記接触表面（１８）は、前記把持表面（４）のもう一方の面であることを特徴とする、請求項６に従属する請求項７に記載の蓋（１）。
【請求項９】
２つの前記回転軸（７）の間隔は、２つの前記フラップ（６）が、互いに押し付けられたとき、接平面（８）に対して垂直な平面（１７）の両側において最大１０°程度のみ、前記ベース部（５）に対して回転可能であるような間隔であることを特徴とする請求項８に記載の蓋（１）。
【請求項１０】
前記弾性部材（１４）がバネ（１４）であることを特徴とする請求項１〜９の何れか１項に記載の蓋（１）。
【発明の詳細な説明】
【発明の詳細な説明】
【０００１】
本発明は、調理器具の蓋に関し、例えば、料理用深鍋、フライ用鍋、フライパンなどのための蓋に関する。
【０００２】
通常、蓋は、調理器具を密閉するために設計されたカバーを含み、それと共に、カバーから突起し、蓋の把持を可能とする把持装置を含む。しかしながら、把持装置は、その突起部のために、数個の類似する蓋を安定して積み重ねる妨げとなる。
【０００３】
この問題点を解決するうえで、次のような型式の蓋があることが知られている。つまり、その把持装置が、蓋の積み重ねを妨げない積み重ね位置から、蓋から離れた把持表面をもたらす把持位置にまで変化することが可能な蓋である。
【０００４】
このようにして、特にキャンプ用品であって、把持装置がハンドルの形状をした蓋が存在する。その把持装置は、前記蓋の中央部に固定されたベース部に対して回転可能に接続されている。前記ハンドルは、自由に回転するため、前記蓋が水平に置かれた時にカバーに対して横たわっている。従って、熱源上に載置された調理器具を前記蓋が覆っている時に、前記ハンドルは、まず最初にカバーと同様に高い温度に上げられる。次に、（前記ハンドルが徐々に熱くなるにつれ）利用者は、前記ハンドルを把持することが困難になる。
【０００５】
米国特許第5 154 114号によると、次のような蓋も存在する。その蓋は、ヒンジ構造によって蓋の周辺部に固定された２つのハンドルを備えており、それにより各ハンドルは２つの安定的な位置を有する。つまり、その２つの安定的な位置とは、積み重ね位置と、その積み重ね位置に対してほぼ垂直な持ち運び位置である。そのヒンジ構造のために、両手を使って一方から他方にハンドルの位置を変える必要があり、また、カバーが熱い時には常に火傷の危険を伴う。さらに、持ち運び位置が相対的に固定されている場合には、ハンドルを積み重ね位置に戻すために再び両手を使う必要がある。この一連のプロセスは時間を要し、また困難である。
【０００６】
本発明の目的は、上述の問題点を克服する蓋を創出することにある。
【０００７】
本発明によると、前記の蓋は、積み重ね状態から把持状態へ把持装置を移行させるための弾性部材を含む。
【０００８】
従って、把持装置の上に蓋が置かれていない時は、把持装置は始めから把持位置に存在する。その把持位置とは、把持装置の把持表面がカバーから離れた状態のことをいう。その結果、まず第一に、簡単に蓋を持つことができ、第二に、把持表面はカバーによる熱伝導によって加熱されない。
【０００９】
本発明の他の利点および特徴は、以下の実施の形態についての説明によって明確に示されるが、その実施の形態に限定されるものではない。また、実施の形態についての説明は、以下の添付図によって説明される。
【００１０】
図１は、本発明に従う蓋のための把持装置の分解斜視図である。
【００１１】
図２は、前記把持装置のフラップの斜視図である。
【００１２】
図３は、把持装置のフラップが把持位置にある状態の蓋の斜視図である。
【００１３】
図４は、２つの蓋を積み重ねた断面図であり、下蓋の把持装置のフラップが積み重ね位置にあり、上蓋の把持装置のフラップが把持位置にある状態を示す図である。
【００１４】
図５は、把持装置のフラップが持ち運び位置にある状態の蓋の斜視図である。
【００１５】
図３〜５に示されるように、調理器具のための蓋１は、カバー２と把持装置３とを含む。カバー２は、該調理器具を密閉するために設計され、把持装置３は、蓋１の把持を可能とするように設計されている。把持装置３は、変形可能であり、少なくとも２つの状態を有する。つまり、２つの状態とは、図４に示されるように、把持装置３が前記蓋と他の蓋１ａとの積み重ねを邪魔しない状態と、図３・４に示されるように、把持装置３が、蓋１から離れた（より具体的には、カバー２から離れた）把持表面４をもたらす把持状態である。
【００１６】
本実施の形態において、把持装置３は、ベース部５と少なくとも１つのフラップ６（ここでは２つのフラップ６）とを含む。ベース部５は、カバー２（ここでは、カバー２の中央部）に固定されている。フラップ６は、把持装置３の把持表面４を有している。各フラップ６は、ベース部５に対して移動可能であり、少なくとも、積み重ね位置と、把持表面４がカバー２と接触しない把持位置との間を移動可能である。これら２つの位置は、それぞれ把持装置３の積み重ね状態と把持状態とに対応している。
【００１７】
各フラップ６は、回転軸７を軸としてベース部５に対して回転するように搭載されている。回転軸７は、ベース部５の位置においてカバー２と接する接平面８に対して平行である。そして、フラップ６の２つの回転軸７は互いに平行である。この関係を可能とするために、各フラップ６は、半円形のハンドル９と、２つのスピンドル１０と、を有する。２つのスピンドル１０は、正反対に互いに対抗し、ハンドル９の径方向においてその内部に向かって延びている。また、ベース部５は、各フラップ６のための開口部１１を有する。開口部１１は、互いに対向しており、各々が、フラップ６のスピンドル１０を収容するように設計されている。
【００１８】
本実施の形態において、蓋１は、カバー２の外径が１４０ｍｍ〜２８０ｍｍであり、ベース部５は、円筒形であって、その外径が４０ｍｍ〜５０ｍｍ、好ましくは４５ｍｍであり、その厚みは５ｍｍ〜１０ｍｍ、好ましくは８ｍｍであり、各フラップ６（より正確には各ハンドル９）は、半冠状であって、その内径はベース部５の直径に対応し、その外径が７０ｍｍ〜９０ｍｍ、好ましくは８０ｍｍであり、その厚みは４ｍｍ〜８ｍｍである。
【００１９】
図４に示すように、フラップ６が積み重ね位置にあるとき、把持表面４はカバー２の方向を向いている。カバー２の形状によっては、フラップ６は、積み重ね位置にあるときに１０°未満の正の角度（上向き）をなすこともできるが、大抵は、接平面８と平行である。あるいは、フラップ６は、僅かに負の角度（下向き）をなすこともできる。負の角度とは、フラップ６が、接平面８とカバー２の平面との間の平面にある状態である。
【００２０】
積み重ね位置において把持装置３の厚みが小さいということは、把持装置３は、蓋１ａのカバー２ａを、自身を配する蓋１の上に載置することを妨げない、ということである。積み重ね位置における把持装置３の厚みは、把持装置３の位置において、この把持装置３を載せる蓋１のカバー２の上部表面１２と、蓋１ａの把持装置３の取付ネジ２０ａとを隔てる間隔よりも小さい。
【００２１】
本実施の形態において、ベース部５および各フラップ６の厚みは、これら異なる部材５・６の位置において、フラップ６が向く方向を考慮すると、これらの部材５・６を配する蓋１のカバー２の上部表面１２と、第１の蓋１に載置された蓋１ａのカバー２ａの下面１３ａとを隔てる間隔よりも小さい。
【００２２】
上側のカバー２と下側のカバー２ａとの高さの違いは、おもに環状の外周縁２１、２１ａの高さによって決まる。外周縁２１、２１ａは、それぞれ、平面あるいは僅かにへこんだカバー２、２ａと隣り合っている。
【００２３】
本発明によると、蓋１は、弾性部材１４を含む。弾性部材１４は、把持装置３をその積み重ね状態から把持状態に移行させる。その結果、熱源上に載置された調理器具に蓋１が載置されると、弾性部材１４の存在により、把持装置３は把持状態になる。把持表面４は、カバー２から離れて加熱されることがない。そして、利用者は、容易に把持表面４を把持することができる。
【００２４】
弾性部材１４の弾性力は、例えば、把持装置３が、把持装置３の上に載置された調理器具の蓋などの物体の重さによって、把持状態から積み重ね状態に移る程度である。
【００２５】
図３・４に示すように、フラップ６は、その把持位置にある時に接平面８に対して傾斜しており、それにより把持表面４は手に取りやすくなる。容易に把持しやすくするため、各フラップ６は、その把持位置において、接平面８に対して少なくとも３０°（ここでは、ほぼ４５°の方向）の平面にあるのが好ましい。
【００２６】
本実施の形態において、弾性部材１４はバネ１４として具現されており、バネ１４は、把持装置３（ここではベース部５）の内部に搭載される。各フラップ６のそれぞれのスピンドル１０は接触面１５を有し、バネ１４は、接触面１５に位置決めされる。接触面１５は、ハンドル９によって形成された平面とある角度をなしており、その角度は、把持位置にあるフラップ６と接平面８との角度に等しい。そして、バネ１４は、接平面８に置かれる。従って、フラップ６が積み重ね位置にあるときに、バネ１４は、スピンドル１０の第１軸端部１６の上面に圧接する。そして、バネ１４は、自身が接触面１５の全体と接触するまで各スピンドル１０を移動させる。
【００２７】
さらに、本実施の形態では、把持位置にある各フラップ６は、接平面８と最大で６０°の角度をなす平面に位置している。そして、各フラップ６は、この把持位置を越えて持ち運び位置に至るまで移動可能である。その持ち運び位置において、各フラップ６は、接平面８に対して垂直な垂直平面１７とほぼ平行な平面に位置している。
【００２８】
本実施の形態において、フラップ６が持ち運び位置にあるとき、２つのフラップ６は、接触表面１８によって互いに押し付けられている。接触表面１８は、把持表面４のもう一方の面である。
【００２９】
フラップ６が持ち運び位置にあるとき、フラップ６は、バネ１４によって把持位置まで移動する。バネ１４は、スピンドル１０の第２軸端部１９の上面に圧接し、自身が接触面１５の全体と接触するまで各スピンドル１０を移動させる。
【００３０】
蓋１の握りを改善するため、把持装置３は、持ち運び位置にある２つのフラップ６がカバー２に対して固定された（あるいは、ほぼ固定された）部材となるように形成されている。そして、２つのフラップ６は、相対的に滑ることはない。
【００３１】
この目的のため、本実施の形態では、２つの回転軸７の間隔は各フラップ６の厚みにほぼ一致している。それにより、２つのフラップ６は、互いに押し付けられたとき、ベース部５に対して垂直平面１７の両側１０°程度のみ回転可能である。同様に、各ハンドル９は、２つの接触表面１８による接触領域が直線的な表面であることに限られず、様々な表面となるよう形成される。利用者がフラップ６を握ることによって摩擦が発生し、その摩擦により、２つのフラップ６は相対的な滑りが抑止される。この滑り動作の防止により、２つのフラップ６によって形成される組立部は、持ち運びに際して回転しないことが担保される。さらに、持ち運び位置における安定性の向上のため、フラップ６がユーザーに把持されているときに、各フラップ６の接触表面１８は、粒度“Charmille 27Ch”表示に相当する粗さを有する。
【００３２】
従って、本発明に従う蓋１の取り扱いは極めて容易である。なぜなら、利用者は、把持位置（把持位置では、把持表面４を自然に手に取りやすい）にある２つのフラップ６を、持ち運び位置において互いに押し付け合う位置まで挟むだけでよいからである。フラップ６が、持ち運び位置において利用者に把持されているとき、それらは安定している。フラップ６は、利用者が手離すことにより持ち運び位置から把持位置に戻る。
【００３３】
他の実施の形態であって、図面において説明された形態とは異なる形態も可能である。
【００３４】
このように、弾性部材は、把持表面を有する要素の不可欠な部分をなすことができる。この要素は、弾性的に変形可能な材料によって形成されている。そして、この要素は、把持装置が積み重ね位置にあるときに機械的な負荷を受け、把持装置が把持位置にあるときには機械的な負荷を受けないよう配置されている。上述した実施の形態に類似する把持装置に適用されるときには、各フラップのスピンドルがベース部に固定されてもよい。それにより、各フラップは、把持位置にあるときにねじれによる機械的な負荷を受ける。
【図面の簡単な説明】
【００３５】
【図１】本発明に従う蓋のための把持装置の分解斜視図である。
【図２】前記把持装置のフラップの斜視図である。
【図３】把持装置のフラップが把持位置にある状態の蓋の斜視図である。
【図４】２つの蓋を積み重ねた断面図であり、下蓋の把持装置のフラップが積み重ね位置にあり、上蓋の把持装置のフラップが把持位置にある状態を示す図である。
【図５】把持装置のフラップが持ち運び位置にある状態の蓋の斜視図である。
【図１】
2008532669.tif 000003
【図２】
2008532669.tif 000004
【図３】
2008532669.tif 000005
【図４】
2008532669.tif 000006
【図５】
2008532669.tif 000007
【国際調査報告】
2008532669.tif 000008
2008532669.tif 000009
2008532669.tif 000010
2008532669.tif 000011